【手続補正書】
【提出日】令和1年11月21日(2019.11.21)
【手続補正１】
【補正対象書類名】特許請求の範囲
【補正対象項目名】全文
【補正方法】変更
【補正の内容】
【特許請求の範囲】
【請求項１】
ユーザ機器(UE)において動作可能なワイヤレス通信の方法であって、
アクセスネットワークから、ネットワーク情報を受信するステップであって、前記ネットワーク情報が、前記アクセスネットワークの同期情報およびネットワーク構成情報を含む、ステップと、
前記ネットワーク情報に従って前記アクセスネットワークにチャープ信号を送信するステップであって、前記チャープ信号が、サービングセルに接続するために前記UEによって利用される1つまたは複数のシステム情報ブロックを決定する際に前記アクセスネットワークを手助けするように構成され、前記チャープ信号が、パイロット信号、基準信号、UE識別子、バッファステータス報告、またはそれらの組合せのうちの少なくとも1つを含む、ステップと、
前記アクセスネットワークから接続セットアップ情報を受信するステップであって、前記接続セットアップ情報が、前記サービングセルとの無線リソース制御(RRC)専用状態接続を確立するための情報を含み、前記接続セットアップ情報が、前記UEの現在のサービングセルのセルIDとは異なるセル識別子(ID)、タイミングアドバンス、セル無線ネットワーク一時識別子(C-RNTI)、アップリンク(UL)割当て、ダウンリンク(DL)割当て、またはそれらの組合せのうちの少なくとも1つをさらに含む、ステップと、
前記サービングセルとの前記RRC専用状態接続を確立した後、ブロードキャストRRCメッセージで前記1つまたは複数のシステム情報ブロックを受信するステップであって、前記1つまたは複数のシステム情報ブロックが、サービングセル識別子でスクランブルされる、ステップと
を含む方法。
【請求項２】
1つまたは複数のシステム情報ブロックをユニキャスト無線リソース制御(RRC)メッセージで受信するステップをさらに含む、請求項1に記載の方法。
【請求項３】
前記接続セットアップ情報をユニキャストメッセージで受信するステップをさらに含む、請求項1に記載の方法。
【請求項４】
前記チャープ信号が、複数の基地局による前記チャープ信号の測定に基づいて、サービングセルを選択する際に前記アクセスネットワークを手助けするようにさらに構成される、請求項1に記載の方法。
【請求項５】
アクセスネットワークにおいて動作可能なワイヤレス通信の方法であって、
ネットワーク情報をユーザ機器(UE)に送信するステップであって、前記ネットワーク情報が、複数の基地局を含む前記アクセスネットワークの同期情報およびネットワーク構成情報を含む、ステップと、
前記ネットワーク情報に従って前記UEからチャープ信号を受信するステップであって、前記チャープ信号が、パイロット信号、基準信号、UE識別子、バッファステータス報告、またはそれらの組合せのうちの少なくとも1つを含む、ステップと、
サービングセルを決定するために前記複数の基地局で前記チャープ信号を測定し、前記サービングセルに接続するために前記UEによって利用される1つまたは複数のシステム情報ブロックを決定するステップと、
前記UEに接続セットアップ情報を送信するステップであって、前記接続セットアップ情報が、前記サービングセルとの無線リソース制御(RRC)専用状態接続を確立するための情報を含み、前記接続セットアップ情報が、前記UEの現在のサービングセルのセルIDとは異なるセル識別子(ID)、タイミングアドバンス、セル無線ネットワーク一時識別子(C-RNTI)、アップリンク(UL)割当て、ダウンリンク(DL)割当て、またはそれらの組合せのうちの少なくとも1つをさらに含む、ステップと、
前記UEとの前記RRC専用状態接続を確立した後、ブロードキャストRRCメッセージで前記1つまたは複数のシステム情報ブロックを前記UEに送信するステップであって、前記1つまたは複数のシステム情報ブロックが、サービングセル識別子でスクランブルされる、ステップと
を含む方法。
【請求項６】
前記1つまたは複数のシステム情報ブロックをユニキャスト無線リソース制御(RRC)メッセージで送信するステップをさらに含む、請求項5に記載の方法。
【請求項７】
前記接続セットアップ情報をユニキャストメッセージで送信するステップをさらに含む、請求項5に記載の方法。
【請求項８】
ユーザ機器(UE)であって、
アクセスネットワークと通信するように構成された通信インターフェースと、
実行可能コードを含むメモリと、
前記通信インターフェースおよび前記メモリに動作可能に結合された1つまたは複数のプロセッサと
を含み、前記1つまたは複数のプロセッサが、前記実行可能コードによって、
前記アクセスネットワークから、ネットワーク情報を受信することであって、前記ネットワーク情報が、前記アクセスネットワークの同期情報およびネットワーク構成情報を含む、受信することと、
前記ネットワーク情報に従って前記アクセスネットワークにチャープ信号を送信することであって、前記チャープ信号が、サービングセルに接続するために前記UEによって利用される1つまたは複数のシステム情報ブロックを決定する際に前記アクセスネットワークを手助けするように構成され、前記チャープ信号が、パイロット信号、基準信号、UE識別子、バッファステータス報告、またはそれらの組合せのうちの少なくとも1つを含む、送信することと、
前記アクセスネットワークから接続セットアップ情報を受信することであって、前記接続セットアップ情報が、前記サービングセルとの無線リソース制御(RRC)専用状態接続を確立するための情報を含み、前記接続セットアップ情報が、前記UEの現在のサービングセルのセルIDとは異なるセル識別子(ID)、タイミングアドバンス、セル無線ネットワーク一時識別子(C-RNTI)、アップリンク(UL)割当て、ダウンリンク(DL)割当て、またはそれらの組合せのうちの少なくとも1つをさらに含む、受信することと、
前記サービングセルとの前記RRC専用状態接続を確立した後、ブロードキャストRRCメッセージで前記1つまたは複数のシステム情報ブロックを受信することであって、前記1つまたは複数のシステム情報ブロックが、サービングセル識別子でスクランブルされる、受信することと
を行うように構成される、UE。
【請求項９】
前記1つまたは複数のプロセッサが、前記1つまたは複数のシステム情報ブロックをユニキャスト無線リソース制御(RRC)メッセージで受信することをさらに行うように構成される、請求項8に記載のUE。
【請求項１０】
前記1つまたは複数のプロセッサが、前記接続セットアップ情報をユニキャストメッセージで受信することをさらに行うように構成される、請求項8に記載のUE。
【請求項１１】
前記チャープ信号が、複数の基地局による前記チャープ信号の測定に基づいて、サービングセルを選択する際に前記アクセスネットワークを手助けするようにさらに構成される、請求項8に記載のUE。
【請求項１２】
アクセスネットワークであって、
ユーザ機器(UE)と通信するように構成された通信インターフェースと、
実行可能コードを含むメモリと、
前記通信インターフェースおよび前記メモリに動作可能に結合された1つまたは複数のプロセッサと
を含み、前記1つまたは複数のプロセッサが、前記実行可能コードによって、
ネットワーク情報を前記UEに送信することであって、前記ネットワーク情報が、複数の基地局を含む前記アクセスネットワークの同期情報およびネットワーク構成情報を含む、送信することと、
前記ネットワーク情報に従って前記UEからチャープ信号を受信することであって、前記チャープ信号が、パイロット信号、基準信号、UE識別子、バッファステータス報告、またはそれらの組合せのうちの少なくとも1つを含む、受信することと、
サービングセルを決定するために前記複数の基地局で前記チャープ信号を測定し、前記サービングセルに接続するために前記UEによって利用される1つまたは複数のシステム情報ブロックを決定することと、
前記UEに接続セットアップ情報を送信することであって、前記接続セットアップ情報が、前記サービングセルとの無線リソース制御(RRC)専用状態接続を確立するための情報を含み、前記接続セットアップ情報が、前記UEの現在のサービングセルのセルIDとは異なるセル識別子(ID)、タイミングアドバンス、セル無線ネットワーク一時識別子(C-RNTI)、アップリンク(UL)割当て、ダウンリンク(DL)割当て、またはそれらの組合せのうちの少なくとも1つをさらに含む、送信することと、
前記UEとの前記RRC専用状態接続を確立した後、ブロードキャストRRCメッセージで前記1つまたは複数のシステム情報ブロックを前記UEに送信することであって、前記1つまたは複数のシステム情報ブロックが、サービングセル識別子でスクランブルされる、送信することと
を行うように構成される、アクセスネットワーク。
【請求項１３】
前記1つまたは複数のプロセッサが、前記1つまたは複数のシステム情報ブロックをユニキャスト無線リソース制御(RRC)メッセージで送信することをさらに行うように構成される、請求項12に記載のアクセスネットワーク。
【請求項１４】
前記1つまたは複数のプロセッサが、前記接続セットアップ情報をユニキャストメッセージで送信することをさらに行うように構成される、請求項12に記載のアクセスネットワーク。
【請求項１５】
ワイヤレス通信のために構成されたユーザ機器(UE)であって、
アクセスネットワークから、ネットワーク情報を受信する手段であって、前記ネットワーク情報が、前記アクセスネットワークの同期情報およびネットワーク構成情報を含む、手段と、
前記ネットワーク情報に従って前記アクセスネットワークにチャープ信号を送信する手段であって、前記チャープ信号が、サービングセルに接続するために前記UEによって利用される1つまたは複数のシステム情報ブロックを決定する際に前記アクセスネットワークを手助けするように構成され、前記チャープ信号が、パイロット信号、基準信号、UE識別子、バッファステータス報告、またはそれらの組合せのうちの少なくとも1つを含む、手段と、
前記アクセスネットワークから接続セットアップ情報を受信する手段であって、前記接続セットアップ情報が、前記サービングセルとの無線リソース制御(RRC)専用状態接続を確立するための情報を含み、前記接続セットアップ情報が、前記UEの現在のサービングセルのセルIDとは異なるセル識別子(ID)、タイミングアドバンス、セル無線ネットワーク一時識別子(C-RNTI)、アップリンク(UL)割当て、ダウンリンク(DL)割当て、またはそれらの組合せのうちの少なくとも1つをさらに含む、手段と、
前記サービングセルとの前記RRC専用状態接続を確立した後、ブロードキャストRRCメッセージで前記1つまたは複数のシステム情報ブロックを受信する手段であって、前記1つまたは複数のシステム情報ブロックが、サービングセル識別子でスクランブルされる、手段と
を含む、UE。
【請求項１６】
1つまたは複数のシステム情報ブロックをユニキャスト無線リソース制御(RRC)メッセージで受信するための手段をさらに含む、請求項15に記載のUE。
【請求項１７】
前記接続セットアップ情報をユニキャストメッセージで受信するための手段をさらに含む、請求項15に記載のUE。
【請求項１８】
ワイヤレス通信のために構成されたアクセスネットワークのノードであって、
ネットワーク情報をユーザ機器(UE)に送信するための手段であって、前記ネットワーク情報が、複数の基地局を含む前記アクセスネットワークの同期情報およびネットワーク構成情報を含む、手段と、
前記ネットワーク情報に従って前記UEからチャープ信号を受信するための手段であって、前記チャープ信号が、パイロット信号、基準信号、UE識別子、バッファステータス報告、またはそれらの組合せのうちの少なくとも1つを含む、手段と、
サービングセルを決定するために前記複数の基地局で前記チャープ信号を測定し、前記サービングセルに接続するために前記UEによって利用される1つまたは複数のシステム情報ブロックを決定するための手段と、
前記UEに接続セットアップ情報を送信するための手段であって、前記接続セットアップ情報が、前記サービングセルとの無線リソース制御(RRC)専用状態接続を確立するための情報を含み、前記接続セットアップ情報が、前記UEの現在のサービングセルのセルIDとは異なるセル識別子(ID)、タイミングアドバンス、セル無線ネットワーク一時識別子(C-RNTI)、アップリンク(UL)割当て、ダウンリンク(DL)割当て、またはそれらの組合せのうちの少なくとも1つをさらに含む、手段と、
前記UEとの前記RRC専用状態接続を確立した後、ブロードキャストRRCメッセージで前記1つまたは複数のシステム情報ブロックを前記UEに送信するための手段であって、前記1つまたは複数のシステム情報ブロックが、サービングセル識別子でスクランブルされる、手段と
を含む、アクセスネットワークのノード。
【請求項１９】
前記1つまたは複数のシステム情報ブロックをユニキャスト無線リソース制御(RRC)メッセージで送信するための手段をさらに含む、請求項18に記載のアクセスネットワークのノード。
【請求項２０】
前記接続セットアップ情報をユニキャストメッセージで送信するための手段をさらに含む、請求項18に記載のアクセスネットワークのノード。
【請求項２１】
命令を含むコンピュータ実行可能コードを記録したコンピュータ可読記録媒体であって、
前記命令は、コンピュータによって実行されると、前記コンピュータに、
アクセスネットワークから、ネットワーク情報を受信するステップであって、前記ネットワーク情報が、前記アクセスネットワークの同期情報およびネットワーク構成情報を含む、ステップと、
前記ネットワーク情報に従って前記アクセスネットワークにチャープ信号を送信するステップであって、前記チャープ信号が、サービングセルに接続するためにUEによって利用される1つまたは複数のシステム情報ブロックを決定する際に前記アクセスネットワークを手助けするように構成され、前記チャープ信号が、パイロット信号、基準信号、UE識別子、バッファステータス報告、またはそれらの組合せのうちの少なくとも1つを含む、ステップと、
前記アクセスネットワークから接続セットアップ情報を受信するステップであって、前記接続セットアップ情報が、前記サービングセルとの無線リソース制御(RRC)専用状態接続を確立するための情報を含み、前記接続セットアップ情報が、前記UEの現在のサービングセルのセルIDとは異なるセル識別子(ID)、タイミングアドバンス、セル無線ネットワーク一時識別子(C-RNTI)、アップリンク(UL)割当て、ダウンリンク(DL)割当て、またはそれらの組合せのうちの少なくとも1つをさらに含む、ステップと、
前記サービングセルとの前記RRC専用状態接続を確立した後、ブロードキャストRRCメッセージで前記1つまたは複数のシステム情報ブロックを受信するステップであって、前記1つまたは複数のシステム情報ブロックが、サービングセル識別子でスクランブルされる、ステップと
を実行させるコンピュータ可読記録媒体。
【請求項２２】
コンピュータによって実行されると、前記コンピュータに、1つまたは複数のシステム情報ブロックをユニキャスト無線リソース制御(RRC)メッセージで受信するステップを実行させる命令をさらに含む、請求項21に記載のコンピュータ可読記録媒体。
【請求項２３】
コンピュータによって実行されると、前記コンピュータに、前記接続セットアップ情報をユニキャストメッセージで受信するステップを実行させる命令をさらに含む、請求項21に記載のコンピュータ可読記録媒体。
【請求項２４】
命令を含むコンピュータ実行可能コードを記録したコンピュータ可読記録媒体であって、
前記命令は、コンピュータによって実行されると、前記コンピュータに、
ネットワーク情報をユーザ機器(UE)に送信するステップであって、前記ネットワーク情報が、複数の基地局を含むアクセスネットワークの同期情報およびネットワーク構成情報を含む、ステップと、
前記ネットワーク情報に従って前記UEからチャープ信号を受信するステップであって、前記チャープ信号が、パイロット信号、基準信号、UE識別子、バッファステータス報告、またはそれらの組合せのうちの少なくとも1つを含む、ステップと、
サービングセルを決定するために前記複数の基地局で前記チャープ信号を測定し、前記サービングセルに接続するために前記UEによって利用される1つまたは複数のシステム情報ブロックを決定するステップと、
前記UEに接続セットアップ情報を送信するステップであって、前記接続セットアップ情報が、前記サービングセルとの無線リソース制御(RRC)専用状態接続を確立するための情報を含み、前記接続セットアップ情報が、前記UEの現在のサービングセルのセルIDとは異なるセル識別子(ID)、タイミングアドバンス、セル無線ネットワーク一時識別子(C-RNTI)、アップリンク(UL)割当て、ダウンリンク(DL)割当て、またはそれらの組合せのうちの少なくとも1つをさらに含む、ステップと、
前記UEとの前記RRC専用状態接続を確立した後、ブロードキャストRRCメッセージで前記1つまたは複数のシステム情報ブロックを前記UEに送信するステップであって、前記1つまたは複数のシステム情報ブロックが、サービングセル識別子でスクランブルされる、ステップと
を実行させるコンピュータ可読記録媒体。
【請求項２５】
コンピュータによって実行されると、前記コンピュータに、前記1つまたは複数のシステム情報ブロックをユニキャスト無線リソース制御(RRC)メッセージで送信するステップを実行させる命令をさらに含む、請求項24に記載のコンピュータ可読記録媒体。
【請求項２６】
コンピュータによって実行されると、前記コンピュータに、前記接続セットアップ情報をユニキャストメッセージで送信するステップを実行させる命令をさらに含む、請求項24に記載のコンピュータ可読記録媒体。